(57)【要約】【課題】複数の励起光源を有するファイバ光増幅器において、何れの励起光源または導光用光ファイバに異常があるかを容易かつ迅速に把握する。【解決手段】ファイバ光増幅器２１は、増幅用光ファイバ２１１と、導光用光ファイバ２１３ａ〜２１３ｅを介して増幅用光ファイバに結合された励起光源２１２ａ〜２１２ｅと、増幅用光ファイバから出射する光を検出する出射光検出器２５と、励起光源の作動を制御する制御装置とを備える。制御装置は、複数の励起光源を個々に駆動可能な光源駆動部５２と、ファイバ光増幅器の異常を判断する異常判断部とを備え、光源駆動部５２により励起光源を個々に駆動したときの出射光検出器２５による光の検出状態に基づいて、異常判断部が異常のある励起光源及び導光用光ファイバを特定して警報信号を出力するように構成される。【選択図】図２
2012151313.tif 000002
【特許請求の範囲】
【請求項１】
コアにレーザ媒質がドープされた増幅用光ファイバと、各々導光用光ファイバを介して前記増幅用光ファイバに結合され前記レーザ媒質を励起する複数の励起光源と、前記増幅用光ファイバから出射する光を検出する出射光検出器と、前記複数の励起光源の作動を制御する制御装置とを備えたファイバ光増幅器であって、
前記制御装置は、前記複数の励起光源を個々に駆動可能な光源駆動部と、前記ファイバ光増幅器の異常を判断する異常判断部とを備え、
前記光源駆動部により前記複数の励起光源を個々に駆動したときの前記出射光検出器による光の検出状態に基づいて、前記異常判断部が異常のある励起光源及び導光用光ファイバの組を特定して警報信号を出力するように構成したことを特徴とするファイバ光増幅器。
【請求項２】
前記複数の励起光源は第１の筐体に収容保持され、前記増幅用光ファイバは前記第１の筐体と離間する第２の筐体に収容保持され、複数の前記導光用光ファイバが前記第１の筐体と前記第２の筐体とを結んで配設されることを特徴とする請求項１に記載のファイバ光増幅器。
【請求項３】
前記出射光検出器は、前記増幅用光ファイバから出射する励起光を検出することを特徴とする請求項１または２に記載のファイバ光増幅器。
【請求項４】
前記出射光検出器は、前記ファイバ光増幅器により増幅されて前記増幅用光ファイバから出射する増幅光を検出することを特徴とする請求項１または２に記載のファイバ光増幅器。
【請求項５】
前記複数の励起光源から出射される励起光を各々検出する励起光検出器を備え、前記異常判断部が前記出射光検出器及び前記励起光検出器の検出信号に基づいて、異常のある励起光源及び導光用光ファイバを特定して警報信号を出力するように構成したことを特徴とする請求項１〜４のいずれか一項に記載のファイバ光増幅器。
【発明の詳細な説明】
【技術分野】
【０００１】
本発明は、複数の励起光源を有するファイバ光増幅器に関し、より詳細には、励起光源と増幅用光ファイバとが導光用光ファイバで結合されるファイバ光増幅器に関する。
【背景技術】
【０００２】
上記のようなファイバ光増幅器は、例えば顕微鏡や形状測定装置、露光装置等に用いられるレーザ装置において、基本波の信号光を増幅して出力する光増幅器として広く知られている（例えば、特許文献１を参照）。また、ファイバレーザにおける光増幅器としても広く知られている。ファイバ光増幅器は、コアにレーザ媒質がドープされた増幅用光ファイバと、各々導光用光ファイバを介して増幅用光ファイバに結合されレーザ媒質を励起する複数の励起光源と、励起光源の作動を制御する制御装置とを備えて構成される。
【０００３】
ファイバ光増幅器は、増幅する光の波長帯域に対応して様々な種類があり、組み込まれる装置の用途及び機能に応じて選択設定される。例えば、増幅する光の波長が１．５μｍ帯の場合には、コアにエルビウム（Ｅｒ）がドープされた増幅用光ファイバを用いたエルビウム・ドープ・ファイバ光増幅器（ＥＤＦＡ）、増幅する光の波長が１．１μｍ帯の場合には、コアにイッテルビウム（Ｙｂ）がドープされた増幅用光ファイバを用いたイッテルビウム・ドープ・ファイバ光増幅器（ＹＤＦＡ）、増幅する光の波長が２μｍ帯の場合には、コアにツリウム（Ｔｍ）がドープされた増幅用光ファイバを用いたツリウム・ドープ・ファイバ光増幅器（ＴＤＦＡ）が好適に用いられる（例えば、特許文献２を参照）。
【０００４】
励起光源は、レーザ媒質を励起する励起光を出力する光源であり、例えば、半導体レーザ（ＬＤ）やファイバレーザが用いられる。複数の励起光源から出力された励起光は、各々導光用光ファイバにより増幅用光ファイバに導かれ、コンバイナを介して増幅用光ファイバに結合される。なお、増幅用光ファイバへの結合は、増幅用光ファイバがシングルクラッドファイバの場合にはコアに結合され、ダブルクラッドファイバの場合には第１クラッドに結合される。
【先行技術文献】
【特許文献】
【０００５】
【特許文献１】特許第４２３２１３０号公報
【特許文献２】特開２００４−８６１９３号公報
【発明の概要】
【発明が解決しようとする課題】
【０００６】
ファイバ光増幅器において、励起光のオン・オフや光強度の制御は制御装置により行われる。上記のように複数の励起光源を備えたファイバ光増幅器においては、複数の励起光源が光源駆動部により一体的にオン・オフ駆動され、光強度の制御も一体的に行われる。ところが、このような従来のファイバ光増幅器では、複数の励起光源の何れかにショートや断線等の異常があり、オン・オフ制御や強度制御が機能しなくなったような場合、あるいは励起光源と増幅用光ファイバとを繋ぐ導光用光ファイバの何れかに折れ曲がりや折損等の異常があり、励起光源から出射された励起光が増幅用光ファイバに正しく導入されなくなったような場合に、どの励起光源または導光用光ファイバに異常があるのかを把握することが困難であり、その特定に多大の時間を要していた。
【０００７】
特に、励起光源が光源駆動部や制御装置が収容される電源ラック側に配設され、増幅用光ファイバが信号光発生部や波長変換部等とともに電源ラックと離間したレーザヘッド側に配設されて、両者の間を結ぶ複数の導光用光ファイバが多数の制御ケーブル等とともにケーブルダクトに納められて構成されるようなレーザ装置において、どの導光用光ファイバに異常が発生したかを特定する作業は、極めて煩雑かつ時間を要する作業であった。
【０００８】
本発明は上記のような事情に鑑みてなされたものであり、複数の励起光源を有するファイバ光増幅器において、何れの励起光源または導光用光ファイバに異常があるかを容易かつ迅速に把握可能なファイバ光増幅器を提供することを目的とする。
【課題を解決するための手段】
【０００９】
上記目的を達成するため、本発明を例示する態様のファイバ光増幅器は、コアにレーザ媒質がドープされた増幅用光ファイバと、各々導光用光ファイバを介して増幅用光ファイバに結合されレーザ媒質を励起する複数の励起光源と、増幅用光ファイバから出射する光を検出する出射光検出器と、複数の励起光源の作動を制御する制御装置とを備える。制御装置は、複数の励起光源を個々に駆動可能な光源駆動部と、ファイバ光増幅器の異常を判断する異常判断部とを備え、光源駆動部により複数の励起光源を個々に駆動したときの出射光検出器による光の検出状態に基づいて、異常判断部が異常のある励起光源及び導光用光ファイバの組を特定して警報信号を出力するように構成される。
【００１０】
なお、前記複数の励起光源は第１の筐体（例えば、実施形態におけるレーザヘッド１の筐体）に収容保持され、前記増幅用光ファイバは第１の筐体と離間する第２の筐体（例えば、実施形態における電源ラック３の筐体）に収容保持され、複数の前記導光用光ファイバが第１の筐体と第２の筐体とを結んで配設されるように構成することができる。
【００１１】
また、前記出射光検出器は、前記増幅用光ファイバから出射する励起光を検出するように構成することができる。あるいは、前記出射光検出器は、前記ファイバ光増幅器により増幅されて増幅用光ファイバから出射する増幅光を検出するように構成しても良い。
【００１２】
また、前記複数の励起光源から出射される励起光を各々検出する励起光検出器を備え、前記異常判断部が出射光検出器及び励起光検出器の検出信号に基づいて、異常のある励起光源及び導光用光ファイバを特定して警報信号を出力するように構成することができる。
【発明の効果】
【００１３】
本発明の態様のファイバ光増幅器においては、光源駆動部が複数の励起光源を個々に駆動可能に構成されるとともに、ファイバ光増幅器の異常を判断する異常判断部が設けられており、光源駆動部により複数の励起光源を個々に駆動したときの出射光検出器による光の検出状態に基づいて、異常判断部が異常のある励起光源及び導光用光ファイバの組を特定して警報信号を出力するように構成される。これにより、複数の励起光源を有するファイバ光増幅器において、何れの励起光源または導光用光ファイバに異常があるかを容易かつ迅速に把握可能なファイバ光増幅器を提供することができる。
【図面の簡単な説明】
【００１４】
【図１】本発明の態様のファイバ光増幅器を備えたレーザ装置の概要構成図である。
【図２】本発明の構成例として示すファイバ光増幅器のブロック図である。
【図３】他の構成例として示す励起光源近傍のブロック図である。
【発明を実施するための形態】
【００１５】
以下、本発明を実施するための形態について、図面を参照しながら説明する。図１にファイバ光増幅器を有するレーザ装置の概要構成図を示す。例示するレーザ装置ＬＳは、大別的に、信号光を出力する信号光発生部１０と、信号光発生部１０から出力された信号光を増幅する増幅部２０と、信号光発生部１０及び増幅部２０を含むレーザ装置全体の作動を制御する制御装置５０とを備えて構成される。
【００１６】
信号光発生部１０は、信号光を発生する信号光源１１を主体として構成される。信号光源１１は、レーザ装置ＬＳの用途及び機能に応じて適宜な波長帯域の光源を用いることができる。本構成形態においては、波長１０６４ｎｍの信号光を出力可能なＤＦＢ半導体レーザを用いた構成を例示する。ＤＦＢ半導体レーザは、出力光のパルス波形を高速で制御することができ、また温度制御することにより所定の波長範囲で狭帯域化された単一波長のパルス光を出力させることができる。信号光源１１から出射し信号光発生部１０から出力された信号光は増幅部２０に入力され、ファイバ光増幅器２１における増幅用光ファイバ２１１のコアに入射される。
【００１７】
増幅部２０は、ファイバ光増幅器２１を主体として構成される。ファイバ光増幅器２１は、コアにレーザ媒質がドープされた増幅用光ファイバ２１１と、レーザ媒質を励起する励起光源２１２（２１２ａ，２１２ｂ，２１２ｃ…）と、各励起光源に対応して設けられ励起光源から出射された励起光を増幅用光ファイバ２１１に導く複数の導光用光ファイバ２１３（２１３ａ，２１３ｂ，２１３ｃ…）と、これらの導光用光ファイバを増幅用光ファイバ２１１に結合するコンバイナ２１４などから構成される。
【００１８】
本構成形態においては、増幅用光ファイバ２１１として、コアにイッテルビウムがドープされたダブルクラッド構造のイッテルビウム・ドープ・ファイバを用い、複数の導光用光ファイバ２１３ａ，２１３ｂ，２１３ｃ…により導かれた励起光を、コンバイナ２１４を介して増幅用光ファイバ２１１の第１クラッドに結合する形態を例示する。励起光源２１２は、増幅用光ファイバ２１１のコアにドープされたレーザ媒質（Ｙｂ）を励起する励起光を出力する光源であり、例えば、波長９７５ｎｍの励起光を出力する半導体レーザが用いられる。
【００１９】
増幅部２０には、ファイバ光増幅器２１から出射された光の一部（例えば１〜３％程度）を反射して導出する部分反射鏡、あるいは増幅用光ファイバ２１１を出射端側に進む光の一部を分割して導出する溶融延伸タイプのスプリッタ等の導出素子２４が設けられるとともに、導出素子２４により導出された光を検出する出射光検出器２５が設けられている。
【００２０】
制御装置５０は、信号光源１１や励起光源２１２（２１２ａ，２１２ｂ，２１２ｃ…）を含むレーザ装置全体の作動を制御するコントロールユニットである。制御装置５０には、詳細図示を省略するが、レーザ装置の制御プログラムや各種パラメータが格納された記憶部、制御プログラムに基づいて演算処理を実行する演算処理部、信号光源１１を駆動する信号光源駆動部５１や励起光源２１２を駆動する励起光源駆動部５２等に代表されるように各部を駆動するドライバーなどが設けられている。また、レーザ装置のオペレータが操作するキーボードや各種のスイッチ類、制御プログラムの実行状態や各種アラーム等を表示する液晶表示パネルやランプ類などが操作盤に設けられている。
【００２１】
信号光発生部１０の信号光源１１、ファイバ光増幅器２１の増幅用光ファイバ２１１、及び出射光検出器２５等はレーザヘッド１の筐体に収容保持される。また、制御装置５０及びファイバ光増幅器２１の励起光源２１２ａ，２１２ｂ，２１２ｃ…等は電源ラック３の筐体に収容される。そして、種々の信号線や制御ケーブル、励起光源２１２ａ，２１２ｂ，２１２ｃ…から出射された励起光を増幅用光ファイバ２１１に導く導光用光ファイバ２１３ａ，２１３ｂ，２１３ｃ…等が、レーザヘッド１と電源ラック３との間を繋ぐケーブルダクト５を通って接続されている。
【００２２】
なお、増幅部２０により増幅された信号光（基本波レーザ光）を波長変換する波長変換部３０を設け、例えば波長１９３ｎｍの紫外光を出力するようにレーザ装置ＬＳを構成しても良く、このとき波長変換部３０をレーザヘッド１の筐体に設けることができる。
【００２３】
以上のように概要構成されるレーザ装置ＬＳは、ファイバ光増幅器２１に異常が発生したときに異常を検出して報知するように構成されている。以下、ファイバ光増幅器の異常検出システムについて、図２を併せて参照しながら詳細に説明する。図２は、異常検出システムの構成例として示すファイバ光増幅器２１のブロック図である。
【００２４】
本システムにおいては、励起光源を駆動する励起光源駆動部５２が、各励起光源２１２ａ，２１２ｂ，２１２ｃ…を個々に駆動可能に構成され、制御装置５０にファイバ光増幅器２１の異常を判断する異常判断部５５が設けられて構成される。
【００２５】
図２は、５つの励起光源２１２ａ〜２１２ｅからなり、各励起光源から出射された励起光が導光用光ファイバ２１３ａ〜２１３ｅにより電源ラック３からレーザヘッド１に導かれ、コンバイナ２１４を介して増幅用光ファイバ２１１に結合される形態を例示する。なお、以降では説明の便宜上、５つの励起光源を識別する際に、第１励起光源２１２ａ〜第５励起光源２１２ｅと表記し、同様に、対応する導光用光ファイバを第１導光用光ファイバ２１３ａ〜第５導光用光ファイバ２１３ｅのように表記する。
【００２６】
本構成例において、５つの励起光源２１２ａ〜２１２ｅは直列に接続されており、これらの励起光源に電力を供給する励起光源駆動部５２のパワーサプライ５２１と電力供給回路５２２で接続されている。励起光源駆動部５２には、直列接続された第１〜第５励起光源２１２ａ〜２１２ｅと並列に延びる迂回回路５２３が設けられている。迂回回路５２３は両端が電力供給回路５２２に接続されるとともに、各励起光源２１２ａ〜２１２ｅを跨ぐようにして励起光源の直列回路に接続された支線が設けられている。迂回回路５２３には、パワーサプライ５２１から電力供給回路５２２に出力された電力を迂回回路５２３側に流す第１〜第５スイッチ素子５２５ａ〜５２５ｅが第１〜第５励起光源２１２ａ〜２１２ｅに対応して設けられている。
【００２７】
このような回路構成において、迂回回路５２３に設けられた第１〜第５スイッチ素子５２５ａ〜５２５ｅを全てオフ、すなわち全スイッチ素子の接点を開にした場合には、パワーサプライ５２１から電力供給回路５２２に出力された電力は、迂回回路５２３を通ることなく励起光源の直列回路を流れて第１〜第５励起光源２１２ａ〜２１２ｅに供給され、第１〜第５励起光源２１２ａ〜２１２ｅが供給電力に応じた強度の励起光を出射する。
【００２８】
レーザ装置ＬＳの通常動作時において、制御装置５０は第１〜第５スイッチ素子５２５ａ〜５２５ｅを全てオフとし、制御プログラムやオペレータの操作指令に応じた強度の励起光が出射されるようにパワーサプライ５２１の作動を制御する。これにより、増幅用光ファイバ２１１が励起状態になり、信号光源１１からコアに入射した信号光が励起光強度の総和に応じた増幅率で増幅されてファイバ光増幅器２１から出射される。
【００２９】
一方、上記回路構成において、第１〜第５スイッチ素子５２５ａ〜５２５ｅのうち何れかをオン、すなわちスイッチ素子の接点を閉にした場合、電力供給回路５２２に出力された電力は当該スイッチ素子を通って迂回回路５２３を流れ、当該スイッチ素子に対応する励起光源が否駆動状態になる。逆説すれば、第１〜第５スイッチ素子５２５ａ〜５２５ｅのうち何れかを１つだけオフとし他をオンにしたときに、オフにされたスイッチ素子に対応する励起光源のみを駆動状態に設定することができる。これにより任意の励起光源を個別に駆動状態または否駆動状態にセットすることができる。図２においては、第２スイッチ素子５２５ｂのみをオフにした状態を例示しており、このとき、第２励起光源２１２ｂのみが駆動状態に設定される。
【００３０】
駆動状態に設定された第２励起光源２１２ｂ、及び第２導光用光ファイバ２１３ｂがともに正常な場合、第２励起光源２１２ｂはパワーサプライ５２１から供給される電力に応じた強度の励起光を発生して出力し、第２導光用光ファイバ２１３ｂを通って増幅用光ファイバ２１１に供給される。増幅用光ファイバ２１１に供給された励起光は、コアにドープされたレーザ媒質を励起する。
【００３１】
この場合において、増幅用光ファイバ２１１に信号光が入射されているときには、増幅された信号光、残余の励起光及びＡＳＥ光が増幅用光ファイバ２１１から出射する。増幅用光ファイバ２１１に信号光が入射されていないときには、残余の励起光及びＡＳＥ光が増幅用光ファイバ２１１から出射する。増幅用光ファイバ２１１から出射した光は、その一部が出射光検出器２５に入射する。増幅された信号光、残余の励起光、ＡＳＥ光は励起光の強度に応じた大きさのパワーを持っている。従って、増幅用光ファイバ２１１に信号光を入射する場合、及び信号光を入射しない場合の何れにおいても、上記光の少なくとも何れか、または任意の総和を出射光検出器２５で検出することにより、第２励起光源２１２ｂ、及び第２導光用光ファイバ２１３ｂがともに正常であるか否かを判断することができる。なお、増幅用光ファイバ２１１に信号光が入射されていないときには、発振を避けるために、入射する励起光強度は十分に弱くする。
【００３２】
一方、駆動状態に設定された第２励起光源２１２ｂ、及び第２導光用光ファイバ２１３ｂの少なくとも何れかに異常が発生した場合、出射光検出器２５による光の検出状態は上記正常時と異なったものになる。
【００３３】
例えば、第２励起光源２１２ｂが断線やショート等により破損し、励起光が出射されなくなったような場合、あるいは、第２導光用光ファイバ２１３ｂが折損や溶断等により破損し、第２励起光源２１２ｂから出射された励起光を増幅用光ファイバ２１１に伝送できなくなったような場合には、増幅用光ファイバ２１１に励起光が供給されずレーザ媒質が励起されない。
【００３４】
そのため、増幅用光ファイバ２１１に信号光が入射されているときには、増幅されずに透過した信号光が増幅用光ファイバ２１１から出射する。増幅用光ファイバ２１１に信号光が入射されていないときには、増幅用光ファイバ２１１から出射する光はない。従って、増幅用光ファイバ２１１に信号光を入射する場合、及び信号光を入射しない場合の何れにおいても、増幅用光ファイバ２１１から出射する光を出射光検出器２５で検出することにより、第２励起光源２１２ｂ及び第２導光用光ファイバ２１３ｂの少なくとも何れかに破損等の異常が発生したか否かを判断することができる。
【００３５】
また、例えば、第２励起光源２１２ｂが劣化して出射する励起光の強度が低下したような場合、あるいは、第２導光用光ファイバ２１３ｂの屈曲部等で漏洩損失が生じたり局所過熱による被覆の劣化等に基づく透過率の低下等が生じたような場合には、増幅用光ファイバ２１１に供給される励起光の強度が低下する。
【００３６】
そのため、増幅用光ファイバ２１１に信号光が入射されているときには、信号光が増幅されるものの、その強度は正常時よりも低下する。低下率は劣化や損傷の程度に応じて変化する。増幅用光ファイバ２１１に信号光が入射されていないときについても同様であり出射光の強度が低下する。従って、増幅用光ファイバ２１１に信号光を入射する場合、及び信号光を入射しない場合の何れにおいても、出射光検出器２５による光の検出状態を観察することにより、第２励起光源２１２ｂ及び第２導光用光ファイバ２１３ｂの少なくとも何れかに劣化や損傷等の異常が発生したか否かを判断することができる。また、出射光検出器２５で検出される光の強度に応じて劣化や損傷のレベルを判断することができる。
【００３７】
制御装置５０は、例えばレーザ装置ＬＳの起動時に実行する検査プログラムやオペレータの操作による検査指令等に基づいて、ファイバ光増幅器２１の異常点検を実行する。具体的には、制御装置５０は、光源駆動部５２の第１〜第５スイッチ素子５２５ａ〜５２５ｅを順次１つずつオフにして第１〜第５励起光源２１２ａ〜２１２ｅを順次１つずつ駆動状態に設定し、パワーサプライ５２１から所定の励起電力を供給させる。異常判断部５５は、各励起光源の駆動時に出射光検出器２５によって検出される光の検出状態に基づいて、第１〜第５励起光源及び第１〜第５導光用光ファイバの組の何れかに異常があるか否かを判断する。そして、異常があると判断されたときに、異常があると判断された励起光源及び導光用光ファイバの組（励起チャネル）を特定して警報信号を出力する。
【００３８】
異常判断部５５から出力された警報信号は、例えば、電源ラック３の操作盤に設けられた液晶表示パネルに送信され、異常があると判断された励起光源及び導光用光ファイバの組が特定されて異常内容が表示される。説明簡明化のため、異常検出は増幅用光ファイバ２１１に信号光を入射しない状態で実行するものとし、第２励起光源２１２ｂまたは第２導光用ファイバ２１２ｂ（第２励起チャネル）に異常があった場合と、何れにも異常がなかった場合とについて具体例を説明する。
【００３９】
制御装置５０は、上記のように、光源駆動部５２の第１〜第５スイッチ素子５２５ａ〜５２５ｅを順次１つずつオフにして第１〜第５励起光源２１２ａ〜２１２ｅを順次１つずつ駆動状態に設定し、パワーサプライ５２１から所定の励起電力を供給させる。このとき、出射光検出器２５によって検出される光の検出状態、及び異常判断部５５による異常判断は以下のようになる。
【００４０】
（Ａ）第２励起チャネルにおいて破損等の異常が発生した場合。
具体的には、第２励起光源２１２ｂが破損して励起光が出射されなくなった場合、あるいは、第２導光用光ファイバ２１３ｂが破損して第２励起光源２１２ｂから出射された励起光が増幅用光ファイバ２１１に伝送されなくなったような場合が相当する。この場合には、第２スイッチ素子５２５ｂを単独オフにしたときだけ出射光検出器２５において光が検出されず、他のスイッチ素子を単独オフにしたときには、パワーサプライ５２１から出力される励起電力に応じたパワーの光が出射光検出器２５において検出される。
【００４１】
異常判断部５５は、出射光検出器２５により検出された光の強度が所定の閾値以下であるときに、第２励起光源２１２ｂ及び第２導光用光ファイバ２１３ｂの少なくとも何れかに破損等の異常が発生したと判断する。そして、第２励起チャネルを特定するとともに、異常内容が破損である旨の警報信号を出力する。
【００４２】
（Ｂ）第２励起チャネルにおいて劣化や損傷等の異常が発生した場合。
具体的には、第２励起光源２１２ｂの劣化等により励起光の出射強度が低下した場合、あるいは、第２導光用光ファイバ２１３ｂの劣化等により励起光の透過率が低下したような場合が相当する。この場合には、第２スイッチ素子５２５ｂを単独オフにしたときだけ出射光検出器２５に検出される光の強度が低く、他のスイッチ素子を単独オフにしたときには励起電力に応じた光強度が検出される。
【００４３】
異常判断部５５は、出射光検出器２５により検出された光強度が所定の閾値を超えているが励起電力に応じた光強度に満たないときに、第２励起光源２１２ｂ及び第２導光用光ファイバ２１３ｂの少なくとも何れかに劣化等の異常が発生したと判断する。そして、第２励起チャネルを特定するとともに、異常内容が劣化または損傷である旨の警報信号を出力する。なお、異常内容の表示は、出射光検出器２５によって検出される光強度に応じて複数段階とすることができる。
【００４４】
（Ｃ）全励起チャネルに異常がない場合。
この場合には、第２スイッチ素子５２５ｂを単独オフにしたときと、他のスイッチ素子を単独オフにしたときに差異はなく、出射光検出器２５において励起電力に応じた光強度が検出される。異常判断部５５は、第１〜第５励起チャネルの励起光源２１２ａ〜２１２ｅ、及び導光用光ファイバ２１３ａ〜２１２ｅに異常がないと判断し、警報信号は出力しない。なお、第１〜第５励起チャネルは正常である（異常がない）旨の信号を出力するように構成しても良い。
【００４５】
異常判断部５５から出力された警報信号は、操作盤の液晶表示パネルに表示される。従って、このような異常検出システムを備えたレーザ装置ＬＳによれば、オペレータは異常が発生した励起チャネルと異常内容を容易かつ迅速に把握することができる。
【００４６】
以上では、異常がある励起チャネルを特定して報知する異常検出システムについて説明したが、さらに進んで、当該励起チャネルにおける励起光源及び導光用光ファイバの何れに異常が発生したかを特定して異常内容を報知する異常検出システムについて、以下簡潔に説明する。
【００４７】
この異常検出システムは、図３に励起光源近傍の概要ブロック図を示すように、上述した異常検出システムに加えて、励起光源２１２ａ，２１２ｂ，２１２ｃ…から出射される励起光を検出する励起光検出器２６ａ，２６ｂ，２６ｃ…を備え、異常判断部５５が各励起光源の単独駆動時に出射光検出器２５により検出される光の検出状態、及び励起光検出器２６ａ，２６ｂ，２６ｃ…により検出される光の検出状態に基づいて、励起光源及び導光用光ファイバの組の何れかに異常があるか否かを判断する。各励起光源が励起光出力をモニターするモニター検出器を有するような場合には、励起光検出器に代えてモニター検出器の出力を用いても良い。
【００４８】
例えば、前述した（Ａ）第２励起チャネルにおいて破損等の異常が発生した場合において、（Ａ１）第２励起光源２１２ｂが破損して励起光が出射されなくなった場合には、第２スイッチ素子５２５ｂを単独オフにしたときに、出射光検出器２５及び励起光検出器２６ｂの両方とも光が検出されない。一方、（Ａ２）第２励起光源２１２ｂは正常であるが第２導光用光ファイバ２１３ｂが破損して第２励起光源２１２ｂから出射した励起光が増幅用光ファイバ２１１に伝送されなくなったような場合には、第２スイッチ素子５２５ｂを単独オフにしたときに、励起光検出器２６ｂで励起電力に応じた励起光が検出され、出射光検出器２５では光が検出されない。
【００４９】
異常判断部５５は、（Ａ１）出射光検出器２５及び励起光検出器２６ｂで検出された光の強度がともに所定の閾値以下であるときに、第２励起光源２１２ｂに破損等の異常が発生したと判断する。そして、第２励起光源２１２ｂを特定し、異常内容が破損である旨の警報信号を出力する。（Ａ２）励起光検出器２６ｂでパワーサプライ５２１から出力された励起電力に応じた励起光が検出され、出射光検出器２５で検出された光の強度が所定の閾値以下であるときは、第２導光用光ファイバ２１３ｂに破損等の異常が発生したと判断する。そして、第２導光用光ファイバ２１３ｂを特定し、異常内容が破損である旨の警報信号を出力する。
【００５０】
前述した（Ｂ）第２励起チャネルにおいて劣化や損傷等の異常が発生した場合についても同様である。例えば、（Ｂ１）第２励起光源２１２ｂの劣化等により励起光の出射強度が低下した場合には、第２スイッチ素子５２５ｂを単独オフにしたときに、励起光検出器２６ｂにおいて励起電力に応じた正常時の光強度よりも低強度の励起光が検出され、出射光検出器２５においても同様に正常時よりも低強度の光が検出される。一方、（Ｂ２）第２励起光源２１２ｂは正常であるが、第２導光用光ファイバ２１３ｂの劣化等により励起光の透過率が低下したような場合には、第２スイッチ素子５２５ｂを単独オフにしたときに励起光検出器２６ｂでは励起電力に応じた正常時の光強度が検出されるが、出射光検出器２５では正常時よりも低強度の光が検出される。
【００５１】
異常判断部５５は、（Ｂ１）出射光検出器２５により検出された光強度、及び励起光検出器２６ｂにより検出された光強度が、ともに所定の閾値を超えているが同程度の割合で励起電力に応じた光強度に満たないときに、第２励起光源２１２ｂに劣化等の異常が発生したと判断する。そして、第２励起光源２１２ｂを特定し、異常内容が劣化または損傷である旨の警報信号を出力する。（Ｂ２）励起光検出器２６ｂにより検出された光強度は励起電力に応じた正常時の光強度であるが、出射光検出器２５により検出された光強度は正常時よりも低強度であるときは、第２導光用光ファイバ２１３ｂに劣化等の異常が発生したと判断する。そして、第２導光用光ファイバ２１３ｂを特定し、異常内容が劣化または損傷である旨の警報信号を出力する。
【００５２】
なお、出射光検出器２５により検出された光強度、及び励起光検出器２６ｂにより検出された光強度が、ともに正常時より低下し、且つ出射光検出器２５により検出された光強度の方が低下率が大きいような場合には、第２励起光源２１２ｂ及び第２導光用光ファイバ２１３ｂの両者に劣化等の異常が発生したと判断する。そして、第２励起光源２１２ｂ及び第２導光用光ファイバ２１３ｂの両方を特定し、異常内容が劣化または損傷である旨の警報信号を出力する。異常内容の表示は、出射光検出器２５及び励起光検出器２６ｂによって検出される光強度に応じて複数段階とすることができる。
【００５３】
（Ｃ）全励起チャネルに異常がない場合には、第２スイッチ素子５２５ｂを単独オフにしたときと、他のスイッチ素子を単独オフにしたときに差異はなく、出射光検出器２５及び励起光検出器２６ｂの両者において励起電力に応じた光強度が検出される。異常判断部５５は、励起光源２１２ａ，２１２ｂ，２１２ｃ…、及び導光用光ファイバ２１３ａ，２１３ｂ，２１３ｃ…に異常がないと判断し、警報信号は出力しない。このとき、励起光源及び導光用光ファイバは正常である（異常がない）旨の信号を出力するように構成しても良い。
【００５４】
異常判断部５５から出力された警報信号は、操作盤の液晶表示パネルに表示される。従って、このような異常検出システムを備えたレーザ装置ＬＳによれば、前述した異常検出システムの有する効果に加えて、オペレータは、どの励起光源または導光用光ファイバで異常が発生したのかを直ちに特定して把握することができる、
【００５５】
なお、図２に例示した実施形態では、励起光源２１２ａ〜２１２ｅが直列接続され、共通のパワーサプライ５２１から励起電力が供給される形態を例示したが、本発明の光源駆動部は複数の励起光源を個々に駆動可能であればよく、例えば、各励起光源２１２ａ〜２１２ｅに個別のパワーサプライから励起電力が供給されるように構成しても良い。
【００５６】
また、ファイバ光増幅器２１として、波長１．１μｍ帯の光を増幅するイッテルビウム・ドープ・ファイバ光増幅器（ＹＤＦＡ）を例示したが、他の波長帯域の光増幅器、例えば、波長１．５μｍ帯の光を増幅するエルビウム・ドープ・ファイバ光増幅器（ＥＤＦＡ）や、波長２μｍ帯の光を増幅するツリウム・ドープ・ファイバ光増幅器（ＴＤＦＡ）等についても同様に適用し同様の効果を得ることができる。さらに、ファイバ光増幅器２１の入出射端にＦＢＧ（Fiber  Bragg  Grating）や外部ミラー等により共振器を組んで構成したファイバレーザにおいても、当然ながら同様の効果を得ることができる。
【符号の説明】
【００５７】
ＬＳ  レーザ装置
１  レーザヘッド
３  電源ラック
５  ケーブルダクト
１０  信号光発生部
１１  信号光源
２０  増幅部
２１  ファイバ光増幅器
２４  導出素子
２５  出射光検出器
２６ａ，２６ｂ，２６ｃ…  励起光検出器
５０  制御装置
５１  信号光源駆動部
５２  励起光源駆動部
５５  異常判断部
２１１  増幅用光ファイバ
２１２（２１２ａ，２１２ｂ，２１２ｃ…）  励起光源
２１３（２１３ａ，２１３ｂ，２１３ｃ…）  導光用光ファイバ
２１４  コンバイナ
５２１  パワーサプライ
５２２  電力供給回路
５２３  迂回回路
５２５ａ〜５２５ｅ  第１〜第５スイッチ素子
【図１】
2012151313.tif 000003
【図２】
2012151313.tif 000004
【図３】
2012151313.tif 000005